【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
単一ユーザＭＩＭＯ（ＳＵ−ＭＩＭＯ）モードとマルチユーザＭＩＭＯ（ＭＵ−ＭＩＭＯ）モードとをサポートする基地局において、移動局からＭＩＭＯフィードバック情報を受信する方法であって、
前記方法は、
前記移動局の好適なＭＩＭＯモードを示す情報を前記移動局から受信することと、
前記好適なＭＩＭＯモードに基づいて決定されたＭＩＭＯモードを示す情報を前記移動局に送信することと、
前記ＭＩＭＯモードに基づいて決定されたフィードバック情報を前記移動局から受信することと
を含む、方法。
【請求項２】
前記好適なＭＩＭＯモードを示す前記情報を受信することは、前記好適なＭＩＭＯモードに基づいて決定されたフィードバック情報を受信することを含む、請求項１に記載の方法。
【請求項３】
前記好適なＭＩＭＯモードを示す前記情報を受信することは、
フィードバックチャネルを経由して、前記移動局の現在のＭＩＭＯモードのチャネル品質指示子（ＣＱＩ）およびプリコーディング行列インデックス（ＰＭＩ）のうちの少なくとも一つを介して、前記移動局から前記好適なＭＩＭＯモードを示す情報を受信することを含む、請求項２に記載の方法。
【請求項４】
前記好適なＭＩＭＯモードを示す前記情報は、前記好適なＭＩＭＯモード専用の追加的なチャネルを介して受信される、請求項２に記載の方法。
【請求項５】
前記基地局によって、前記好適なＭＩＭＯモードに対するフィードバック要請を前記移動局に送信することをさらに含み、前記情報は、前記好適なＭＩＭＯモードが前記フィードバック要請に応答して前記移動局から受信される、請求項１〜４のいずれかに記載の方法。
【請求項６】
前記フィードバック要請は、前記移動局が、前記好適なＭＩＭＯモードに従って決定された前記フィードバック情報を前記基地局に何回送信すべきかを示す特定情報を含む、請求項５に記載の方法。
【請求項７】
臨界値を前記移動局に送信することをさらに含み、前記臨界値は、前記基地局に送信される前記好適なＭＩＭＯモードを前記移動局において決定する際に用いられる、請求項２に記載の方法。
【請求項８】
前記好適なＭＩＭＯモードを示す前記情報を送信することは、
前記好適なＭＩＭＯモードを示す前記情報を用いて平均性能指数を計算することと、
前記平均性能指数がモードスイッチング臨界値よりも大きい場合には、前記ＭＩＭＯモードを前記好適なＭＩＭＯモードに設定することと
を含む、請求項２に記載の方法。
【請求項９】
前記好適なＭＩＭＯモードを示す前記情報は、前記好適なＭＩＭＯモードの性能指数に対する前記移動局の現在のＭＩＭＯモードの性能指数の比が臨界値よりも大きい場合に、前記移動局から前記基地局に送信される、請求項２に記載の方法。
【請求項１０】
前記好適なモードは、単一ユーザＭＩＭＯ（ＳＵ−ＭＩＭＯ）モードと、２個の移動局をサポートするマルチユーザＭＩＭＯ（ＭＵ−ＭＩＭＯ）モード２と、３個の移動局をサポートするＭＵ−ＭＩＭＯモード３と、４個の移動局をサポートするＭＵ−ＭＩＭＯモード４のうちの一つである、請求項２に記載の方法。
【請求項１１】
単一ユーザＭＩＭＯ（ＳＵ−ＭＩＭＯ）モードとマルチユーザＭＩＭＯ（ＭＵ−ＭＩＭＯ）モードとをサポートする基地局に、移動局によってＭＩＭＯフィードバック情報を送信する方法であって、
前記方法は、
好適なＭＩＭＯモードを示す情報を前記基地局に送信することと、
前記好適なＭＩＭＯモードに基づいて決定されたＭＩＭＯモードを示す情報を前記基地局から受信することと、
前記ＭＩＭＯモードに基づいて決定されたフィードバック情報を前記基地局に送信することと
を含む、方法。
【請求項１２】
前記好適なＭＩＭＯモードを示す前記情報を送信することは、
前記好適なＭＩＭＯモードに基づいて決定されたフィードバック情報を含む、請求項１１に記載の方法。
【請求項１３】
前記好適なＭＩＭＯモードを示す前記情報を送信することは、
フィードバックチャネルを経由して、前記移動局の現在のＭＩＭＯモードのチャネル品質指示子（ＣＱＩ）及びプリコーディング行列インデックス（ＰＭＩ）のうちの少なくとも１つを介して、前記基地局に前記好適なＭＩＭＯモードを示す前記情報を送信することを含む、請求項１２に記載の方法。
【請求項１４】
前記好適なＭＩＭＯモードを示す前記情報は、前記好適なモード専用の追加的なチャネルを介して送信される、請求項１２に記載の方法。
【請求項１５】
前記移動局に対する好適なＭＩＭＯモードに対するフィードバック要請を前記基地局から受信することをさらに含み、前記好適なＭＩＭＯモードを示す前記情報は、前記フィードバック要請に応答して前記基地局に送信される、請求項１１〜１４のいずれかに記載の方法。
【請求項１６】
前記フィードバック要請は、前記移動局が、前記好適なＭＩＭＯモードに従って決定された前記フィードバック情報を前記基地局に何度送信すべきかを示す特定情報を含む、請求項１５に記載の方法。
【請求項１７】
前記好適なＭＩＭＯモードを示す前記情報は、前記移動局の現在のＭＩＭＯモードの性能指数と前記好適なＭＩＭＯモードの性能指数との比が臨界値よりも大きい場合に前記基地局に送信される、請求項１２に記載の方法。
【請求項１８】
前記基地局から前記臨界値を受信することをさらに含む、請求項１２に記載の方法。
【請求項１９】
前記好適なＭＩＭＯモードは、単一ユーザＭＩＭＯ（ＳＵ−ＭＩＭＯ）モードと、２個の移動局をサポートするマルチユーザＭＩＭＯ（ＭＵ−ＭＩＭＯ）モード２と、３個の移動局をサポートするＭＵ−ＭＩＭＯモード３と、４個の移動局をサポートするＭＵ−ＭＩＭＯモード４のうちの一つである、請求項１２に記載の方法。
【手続補正２】
【補正対象書類名】明細書
【補正対象項目名】００４０
【補正方法】変更
【補正の内容】
【００４０】
上記の構成及び後述の請求される詳細な説明は、本発明の理解を助けるためのもので、本発明がこれに限定されることはない。
例えば、本発明は以下の項目を提供する。
（項目１）
単一ユーザＭＩＭＯ（Ｓｉｎｇｌｅ  Ｕｓｅｒ  ＭＩＭＯ；ＳＵ−ＭＩＭＯ）モードとマルチユーザＭＩＭＯ（Ｍｕｌｔｉ  Ｕｓｅｒ  ＭＩＭＯ；ＭＵ−ＭＩＭＯ）間のモードスイッチングを行うモード適応方法であって、
基地局が端末から選好ＭＩＭＯモード関連情報を受信し、
上記選好ＭＩＭＯモード関連情報に基づいてＭＩＭＯモードを決定し、
上記ＭＩＭＯモードを上記端末に報告し、
上記端末から上記ＭＩＭＯモードのフィードバック情報を受信すること、
を含む、モード適応方法。
（項目２）
上記選好ＭＩＭＯモード関連情報は、選好ＭＩＭＯモード及び上記選好ＭＩＭＯモードに基づいて決定されたフィードバック情報のうち少なくとも一つを含む、項目１に記載のモード適応方法。
（項目３）
上記基地局に転送される上記選好ＭＩＭＯモードを決定するのに用いられる臨界値を上記端末に転送することをさらに含む、項目２に記載のモード適応方法。
（項目４）
上記ＭＩＭＯモードの決定では、
上記選好ＭＩＭＯモード関連情報を用いて平均性能指数（ｓｕｍ  ａｖｅｒａｇｅ  ｔｈｒｏｕｇｈｐｕｔ  ｍｅｔｒｉｃ）を計算し、
上記平均性能指数がモードスイッチング臨界値よりも高いと、上記ＭＩＭＯモードを上記選好ＭＩＭＯと設定する、項目２に記載のモード適応方法。
（項目５）
現在モードの性能指数と上記選好ＭＩＭＯモードの性能指数との比が臨界値よりも高いと、上記選好ＭＩＭＯモード関連情報が上記端末から上記基地局に伝達される、項目２に記載のモード適応方法。
（項目６）
上記選好ＭＩＭＯモード関連情報の受信では、
現在モードのチャネル品質指示子（ＣＱＩ）及びプリコーディング行列インデックス（ＰＭＩ）のうち少なくとも一つを受信するフィードバックチャネルを時分割（ｔｉｍｅ−ｄｉｖｉｄｅ）し、
上記時分割されたフィードバックチャネルを通じて上記選好ＭＩＭＯモード関連情報を周期的に受信する、項目２に記載のモード適応方法。
（項目７）
上記選好ＭＩＭＯモード関連情報は、上記選好ＭＩＭＯモード関連情報専用の追加的なチャネルを通じて受信する、項目１に記載のモード適応方法。
（項目８）
上記選好モードは、ＳＵ−ＭＩＭＯモードと、２個の端末を支援するＭＵ−ＭＩＭＯモード２と、３個の端末を支援するＭＵ−ＭＩＭＯモード３と、４個の端末を支援するＭＵ−ＭＩＭＯモード４のうちの一つである、項目２に記載のモード適応方法。
（項目９）
上記選好ＭＩＭＯモード関連情報の受信では、
上記端末に上記選好ＭＩＭＯモードに対するフィードバック要請を転送する、項目２に記載のモード適応方法。
（項目１０）
上記フィードバック要請は、現在モードのチャネル品質指示子（ＣＱＩ）及びプリコーディング行列インデックス（ＰＭＩ）のうち少なくとも一つを受信するフィードバックチャネルを通じて上記基地局が上記選好ＭＩＭＯモードに基づいて決定された上記フィードバック情報を受信する既に指定された回数を指示する特定情報を含む、項目９に記載のモード適応方法。
（項目１１）
単一ユーザＭＩＭＯ（ＳＵ−ＭＩＭＯ）モードとマルチユーザＭＩＭＯ（ＭＵ−ＭＩＭＯ）モード間のモードスイッチングを行うモード適応方法であって、
端末が現在モード及び臨界値を用いて選好ＭＩＭＯモードを決定し、
基地局に選好ＭＩＭＯモード関連情報を報告し、
上記選好ＭＩＭＯモード関連情報に基づいて変更された現在モードを受信すること、
を含む、モード適応方法。
（項目１２）
上記選好ＭＩＭＯモード関連情報は、選好ＭＩＭＯモード及び上記選好ＭＩＭＯモードに基づいて決定されたフィードバック情報のうち少なくとも一つを含む、項目１１に記載のモード適応方法。
（項目１３）
上記選好ＭＩＭＯモードは、上記現在モードの性能指数と上記選好ＭＩＭＯモードの性能指数との比が、上記臨界値よりも高いか否かを確認することによって決定され、上記現在モードの上記性能指数と上記選好ＭＩＭＯモードの上記性能指数との比が、上記臨界値よりも高いと、上記選好ＭＩＭＯモード関連情報が基地局に報告される、項目１２に記載のモード適応方法。
（項目１４）
上記情報の報告では、
上記現在モードのチャネル品質指示子（ＣＱＩ）及びプリコーディング行列インデックス（ＰＭＩ）のうち少なくとも一つを転送するフィードバックチャネルを時分割（ｔｉｍｅ−ｄｉｖｉｄｅ）し、
上記時分割されたフィードバックチャネルを通じて上記選好ＭＩＭＯモード関連情報を周期的に転送する、項目１１に記載のモード適応方法。
（項目１５）
上記選好ＭＩＭＯモード関連情報の報告では、
上記選好ＭＩＭＯモード関連情報専用の追加的なチャネルを通じて上記選好ＭＩＭＯモード関連情報を転送する、項目１１に記載のモード適応方法。
（項目１６）
上記基地局から上記臨界値を受信することをさらに含む、項目１１に記載のモード適応方法。
（項目１７）
上記選好モードは、ＳＵ−ＭＩＭＯモードと、２個の端末を支援するＭＵ−ＭＩＭＯモード２と、３個の端末を支援するＭＵ−ＭＩＭＯモード３と、４個の端末を支援するＭＵ−ＭＩＭＯモード４のうちの一つである、項目１１に記載のモード適応方法。
（項目１８）
上記選好ＭＩＭＯモード関連情報の報告では、
上記基地局から上記選好ＭＩＭＯモードに対するフィードバック要請を受信して、上記選好ＭＩＭＯモードに関するフィードバック情報を報告する、項目１１に記載のモード適応方法。
（項目１９）
上記フィードバック要請は、上記現在モードのチャネル品質指示子（ＣＱＩ）及びプリコーディング行列インデックス（ＰＭＩ）のうち少なくとも一つを転送するフィードバックチャネルを通じて上記端末が上記選好ＭＩＭＯモード関連情報を転送しなければならない既に指定された回数を指示する特定情報を含む、項目１８に記載のモード適応方法。
【手続補正３】
【補正対象書類名】明細書
【補正対象項目名】００４２
【補正方法】変更
【補正の内容】
【００４２】
【図１】データが２つ以上の空間多重化率で転送される時の送信構造を示すブロック図である。
【図２】データが２つ以上の空間多重化率で転送される時の送信構造を示すブロック図である。
【図３】ＳＵ−ＭＩＭＯとＭＵ−ＭＩＭＯの性能を比較したグラフである。
【図４】本発明の一実施例によるモード適応方法を用いてフィードバック量を減らす方法を示すフローチャートである。
【図５】現在モードのＣＱＩ、ＰＭＩを送る代わりに、特定周期ごとにフィードバックチャネルを通じて、望むモードの情報を転送する方法を示す図である。
【図６】追加的なフィードバックチャネルを通じて、望むモードの情報を周期的に転送する方法を示す図である。
【図７】基地局が特定モードに関するフィードバックを要請し、端末は、要請されたモードに対するフィードバックをする方法を示す図である。
【図８】望むモード情報の代わりに、ランク情報を転送する場合を示す図である。
【図９】本発明の一実施例によるモード適応方法の性能グラフである。
【手続補正４】
【補正対象書類名】明細書
【補正対象項目名】００６３
【補正方法】変更
【補正の内容】
【００６３】
このＳＵ−ＭＩＭＯランク適応（Ｒａｎｋ  Ａａｄａｐｔａｔｉｏｎ）周期（すなわち、端末が、望むランクを選択する周期）が４に設定された場合、端末は、フィードバックチャネル（１）の毎４時間インデックスごとに自身の望むランクを送る。この時、望むランクが、他のランク、例えば、図８のランク２に変更される場合、端末は、変更されたランクに好適なＣＱＩ及び／またはＰＭＩを追加的なフィードバックチャネル、例えば、フィードバックチャネル（２）を通じて送る。一方、ＣＱＩ及び／またはＰＭＩのための追加的なフィードバックチャネルを割り当てずに、変更されたランクに関する情報が転送されるフィードバックチャネル（１）を通じて、該変更されたランクに関する上記情報が転送される周期に、変更されたランクに好適なＣＱＩ及び／またはＰＭＩを転送することもできる。
【手続補正５】
【補正対象書類名】明細書
【補正対象項目名】００６５
【補正方法】変更
【補正の内容】
【００６５】
図７は、基地局（ＢＳ）が特定モードに対するフィードバックを要請し、端末（ＭＳ）は、要請されたモードに対するフィードバックをする方法を示す図である。
【手続補正６】
【補正対象書類名】明細書
【補正対象項目名】００６６
【補正方法】変更
【補正の内容】
【００６６】
図７を参照すると、基地局はモード（ｌ）に対するフィードバックを端末に要請することができる。すなわち、現在モードが（Ｍ）であり、いくつかの端末がモード（ｌ）に関する情報をフィードバックしている状況で、基地局がモード（ｌ）に関する情報をさらに必要とする場合、この基地局は、端末にモード（ｌ）に対するフィードバックをすることを要請することができる。この場合、次のような方法でフィードバックを行うことができる。すなわち、端末は、１回または基地局で要請した回数だけ該当のモードに対してフィードバックをし、それ以降は、現在モードに対するフィードバックをすることができる。特に、要請されたモードに関する情報の量が、現在フィードバックチャネルの容量よりも多い場合、要請されたモード情報は、フィードバックチャネルを通じて数回に分けて転送することができる。一方、基地局がイベントトリガー方式で他のモードに対してフィードバックを要請する場合は、次のような方法を用いることができる。基地局が新しいフィードバックチャネルを割り当て、該新しく割り当てられたフィードバックチャネル（すなわち、追加的なフィードバックチャネル）を通じて、要請されたモードに関するＣＱＩ及び／またはＰＭＩを転送する方法を用いることができる。または、端末がアップリンクで転送するデータがある場合は、このデータのチャネルに、要請されたモードに関するＣＱＩ及び／またはＰＭＩを付けてアップリンクで転送する方法を用いることもできる。